(57)【要約】【課題】子局が多い場合に従来より短時間で情報収集を可能とする。【解決手段】所定周波数の無線回線を時分割多重により使用する親局１０及び子局２０−１〜２０−ｎから構成される。親局１０には、複数の子局それぞれに対する情報収集の要求情報と共に収集した情報について返送するタイムスロットを指示するタイムスロット情報を複数の子局へ一斉に送出する情報要求部１５が備えられ、複数の子局２０−１〜２０−ｎには、自局宛の要求情報を受け取った場合に、到来したタイムスロット情報に応じて対応するタイムスロットへ収集情報を配置して送信する送信制御部２５が備えられている。【選択図】図１
2007235224.tif 000002
【特許請求の範囲】
【請求項１】
所定周波数の無線回線を時分割多重により使用する親局及び子局から構成されるテレメータシステムにおいて、
親局には、複数の子局それぞれに対する情報収集の要求情報と共に収集した情報について返送するタイムスロットを指示するタイムスロット情報を複数の子局へ一斉に送出する情報要求部が備えられ、
複数の子局には、自局宛の要求情報を受け取った場合に、到来したタイムスロット情報に応じて対応するタイムスロットへ収集情報を配置して送信する送信制御部が備えられていることを特徴とするテレメータシステム。
【請求項２】
前記情報要求部は、タイムスロット情報として、同一チャネルの異なるタイムスロットを指示する情報を送出することを特徴とする請求項１に記載のテレメータシステム。
【請求項３】
前記情報要求部は、タイムスロット情報として、フレーム及びフレーム内のチャネルを指示する情報と、チャネル内において情報をセットする先頭タイムスロット及びタイムスロット幅の情報を送出することを特徴とする請求項１または請求項２に記載のテレメータシステム。
【請求項４】
所定周波数の無線回線を時分割多重により使用する親局及び子局から構成されるテレメータシステムに適用される情報収集方法において、
前記親局から、複数の子局それぞれに対する情報収集の要求情報と共に収集した情報について返送するタイムスロットを指示するタイムスロット情報を複数の子局へ一斉に送出し、
前記複数の子局では、自局宛の要求情報を受け取り、到来したタイムスロット情報に応じて対応するタイムスロットへ収集情報を配置して送信することを特徴とする情報収集方法。
【請求項５】
前記タイムスロット情報として、同一チャネルの異なるタイムスロットを指示する情報を送出することを特徴とする請求項４に記載の情報収集方法。
【請求項６】
前記タイムスロット情報として、フレーム及びフレーム内のチャネルを指示する情報と、チャネル内において情報をセットする先頭タイムスロット及びタイムスロット幅の情報を送出することを特徴とする請求項４または５に記載の情報収集方法。
【発明の詳細な説明】
【技術分野】
【０００１】
この発明は、所定周波数の無線回線を時分割多重により使用する親局及び子局から構成されるテレメータシステム及びこのシステムに適用される情報収集方法に関するものである。
【背景技術】
【０００２】
従来のテレメータシステムにあっては、親局から複数の子局へ所定周波数の下り信号を用いて個別に呼び出しを行い、各子局では上記所定周波数とは異なる上り信号を用いて収集情報を送信するポーリング・セレクティング方式が用いられていた。
【０００３】
【特許文献１】上記ポーリング・セレクティング方式の一例を説明すると、図７に示すように、親局Ｐから呼び出し信号Ｓ１を子局Ｃ１へ送ると、これに応えて子局Ｃ１は収集情報を含む応答信号Ｒ１を返送し、次に、親局Ｐから呼び出し信号Ｓ２を子局Ｃ２へ送ると、これに応えて子局Ｃ２は収集情報を含む応答信号Ｒ２を返送し、次に、親局Ｐから呼び出し信号Ｓ３を子局Ｃ３へ送ると、これに応えて子局Ｃ３は収集情報を含む応答信号Ｒ３を返送し、・・・以下同様にして、親局Ｐから呼び出し信号Ｓｎを子局Ｃｎへ送ると、これに応えて子局Ｃｎは収集情報を含む応答信号Ｒｎを返送する。
【０００４】
上記のように呼び出しと応答が対になっているもので、子局毎に呼び出しを行う必要があり、また、個別の子局にチャネルが割り当てられて応答がなされるもので、無駄が多く、特に子局が多くなると時間を要するものであった。
【０００５】
上記に対し、データ収集の効率化を図るべく、ポーリング周期を設定変更するシステムが特許文献１に開示されている。この特許文献１に記載の発明にあっては、ポーリング周期を設定変更することから収集情報の多い子局から短周期にて情報を収集できる利点はあるものの、子局数が多くなると全ての子局から情報収集を行うまでの時間は短縮できないものである。
【特許文献１】特開２０００−２６７８９２号公報
【発明の開示】
【発明が解決しようとする課題】
【０００６】
本発明が解決しようとする課題は、子局の数が多い場合に情報収集に多くの時間を要することであり、本発明では、子局が多い場合にも従来ほどの時間を要することなく情報収集が可能であり、また、情報の伝送を効率良く行うことのできるテレメータシステム及び情報収集方法を提供することを目的とする。
【課題を解決するための手段】
【０００７】
本発明に係るテレメータシステムは、所定周波数の無線回線を時分割多重により使用する親局及び子局から構成されるテレメータシステムにおいて、親局には、複数の子局それぞれに対する情報収集の要求情報と共に収集した情報について返送するタイムスロットを指示するタイムスロット情報を複数の子局へ一斉に送出する情報要求部が備えられ、複数の子局には、自局宛の要求情報を受け取った場合に、到来したタイムスロット情報に応じて対応するタイムスロットへ収集情報を配置して送信する送信制御部が備えられていることを特徴とする。
【０００８】
本発明に係るテレメータシステムでは、前記情報要求部は、タイムスロット情報として、同一チャネルの異なるタイムスロットを指示する情報を送出することを特徴とする。
【０００９】
本発明に係るテレメータシステムでは、前記情報要求部は、タイムスロット情報として、フレーム及びフレーム内のチャネルを指示する情報と、チャネル内において情報をセットする先頭タイムスロット及びタイムスロット幅の情報を送出することを特徴とする。
【００１０】
本発明に係る情報収集方法は、所定周波数の無線回線を時分割多重により使用する親局及び子局から構成されるテレメータシステムに適用される情報収集方法において、前記親局から、複数の子局それぞれに対する情報収集の要求情報と共に収集した情報について返送するタイムスロットを指示するタイムスロット情報を複数の子局へ一斉に送出し、前記複数の子局では、自局宛の要求情報を受け取り、到来したタイムスロット情報に応じて対応するタイムスロットへ収集情報を配置して送信することを特徴とする。
【００１１】
本発明に係る情報収集方法は、前記タイムスロット情報として、同一チャネルの異なるタイムスロットを指示する情報を送出することを特徴とする。
【００１２】
本発明に係る情報収集方法は、前記タイムスロット情報として、フレーム及びフレーム内のチャネルを指示する情報と、チャネル内において情報をセットする先頭タイムスロット及びタイムスロット幅の情報を送出することを特徴とする。
【発明の効果】
【００１３】
本発明では、親局から、複数の子局それぞれに対する情報収集の要求情報と共に収集した情報について返送するタイムスロットを指示するタイムスロット情報を複数の子局へ一斉に送出し、上記複数の子局では、自局宛の要求情報を受け取り、到来したタイムスロット情報に応じて対応するタイムスロットへ収集情報を配置して送信するようにしたので、一度の要求情報送出によって複数の子局に対し情報収集の要求を送ることができ、効率の良い呼び出しができると共に、指定されたタイムスロットに情報を配置して効率の良い伝送が確保される。
【発明を実施するための最良の形態】
【００１４】
本発明では、複数の子局への一斉呼び出しにより個々の子局へ呼び出しを行う場合に比べて時間短縮を図り、返送するタイムスロットを指示することによりタイムスロットの効率的な運用を図り、子局が多い場合にも従来ほどの時間を要することなく情報収集を可能とする目的を達成し、また、情報の伝送を効率良く行うという目的も併せて達成したものである。
【実施例１】
【００１５】
以下、添付図面を参照して本発明に係るテレメータシステム及び情報収集方法の実施例を説明する。 各図において同一の構成要素には、同一の符号を付して重複する説明を省略する。図１に、本発明に係るテレメータシステムの構成図を示す。このテレメータシステムにあっては、親局１０と複数の子局２０−１、２０−２、・・・、２０−ｎとを有する。親局１０及び子局２０−１、２０−２、・・・、２０−ｎから構成されるテレメータシステムにおいては、所定周波数の無線回線を時分割多重により使用するものである。親局１０には、ワークステーションやパーソナルコンピュータなどにより構成される管理装置１１と、無線機１２と、ＬＣＤやＣＲＴなどの表示器１３と、キーボードやマウスなどの操作部１４とが備えられている。
【００１６】
管理装置１１のＣＰＵには、情報要求部１５及び情報収集解析部１６が備えられている。情報要求部１５は、複数（必ずしもｎではない）の子局それぞれに対する情報収集の要求情報と共に収集した情報について返送するタイムスロットを指示するタイムスロット情報を複数の子局へ一斉に送出するものである。情報収集解析部１６は、子局２０−１、２０−２、・・・、２０−ｎから送られてくる情報について無線機１２を介して取り込み、所定の閾値と比較するなどして警報や注意報などを発するための解析を行うものである。解析の結果は、表示器１３ヘ表示される。
【００１７】
一方、子局２０−１、２０−２、・・・、２０−ｎは、基本的に同一の構成であるから、子局２０−１について説明すると、無線機２１と、センサ２２−１〜２２−ｍと、プロセッサにより構成される制御部２３とを備えている。制御部２３には、受信処理部２４、送信処理部２５、データ収集部２６が備えられている。受信処理部２４は、無線機２１から信号を取り込み自局へ送られた情報であるかなどの判定を行うのものであり、送信処理部２５は、到来したタイムスロット情報に応じて対応するタイムスロットへ収集情報を配置して送信する制御を行うものであり、データ収集部２６は、センサ２２−１〜２２−ｍから所定のタイミングでデータ収集を行い、必要な場合に蓄積しておき、送信時に送信制御部２５へ渡す処理を行うものである。センサ２２−１〜２２−ｍの種類としては、温度計、雨量計、風速計、震度計、積雪量計など、必要に応じて備えられるものである。
【００１８】
以上の通り構成されたテレメータシステムにおいては、例えば都道府県防災デジタル総合通信システムにおけるテレメータ系のデジタル回線が用いられる。このデジタル回線にあっては図２に示されるように、同一の周波数に４チャネルが１フレームとして多重化されている。親局１０では、管理装置１１のＣＰＵが図３に示すフローチャートに対応するプログラムを実行することにより情報要求部１５として機能し、また、図５に示すフローチャートに対応するプログラムを実行することにより情報収集解析部１６として機能するものである。一方、子局２０−１、２０−２、・・・、２０−ｎにおけるプロセッサである制御部２３は、図４に示すフローチャートに対応するプログラムを実行することにより受信処理部２４、送信処理部２５、データ収集部２６として機能する。以下、これら図３〜図５のフローチャートに基づき、システムの動作を説明する。
【００１９】
親局１０における管理装置１１のＣＰＵは、図３に示されるようにタイマ割り込みにより或いは操作部１４からのコマンド入力により情報収集時となったかを検出している（Ｓ１１）。タイマ割り込みにより或いはコマンド入力により情報収集時となると、予め設定されているまたは操作部１４から入力された複数の子局からなる宛先情報と、それぞれの子局が収集すべき情報の種類情報を送信情報として揃える（Ｓ１２）と共に、各子局から返送される収集情報の量（例えば、バイト数）を求めて、返送タイムスロットの割り当てを行って、収集した情報について返送するタイムスロットを指示するタイムスロット情報を作成し、これら宛先情報、それぞれの子局が収集すべき情報の種類情報及びタイムスロット情報をセットとして、予め定められているチャネル（例えばチャネルＣＨ１）を使用して送信する（Ｓ１３）。タイムスロット情報としては、チャネルを指示する情報、チャネル内において収集情報をセットする先頭のスロット（例えば、第Ｎワード目）とスロット幅（例えば、Ｍワード分）の情報が指示される。なお、複数の子局に対して、同一のチャネル内の異なるタイムスロットの指定を行い、伝送効率を高めるものとする。また、同一のチャネル内の異なるタイムスロットの指定を行う場合、隣接する子局の情報を識別し易くするため、データをセットしないガードスロットを子局毎の情報間に配置すると好適である。
【００２０】
これに対して、各子局２０−１、２０−２、・・・、２０−ｎでは、図４に示されるように収集要求情報が親局１０から送られてくるのを待っており（Ｓ２１）、収集要求情報が到来すると、自局宛ての情報であるかを検出して（Ｓ２２）、自局宛ての情報であることが検出されると、当該子局が収集すべき情報の種類情報及びタイムスロット情報を取り出し（Ｓ２３）、これに対応して必要な情報を揃え、タイムスロットの指示を無線機２１へ行って送信する（Ｓ２４）。
【００２１】
これに対し、親局１０における管理装置１１のＣＰＵは、図５に示されるように収集情報の到来を待っており（Ｓ３１）、情報到来を検出すると、タイムスロットにおける配置からどこの子局から送られた如何なる種類の情報であるかを検出して、情報の解析を行い（Ｓ３２）、結果を表示器１３へ表示する（Ｓ３３）。
【００２２】
このような処理により、例えば、図６に示されるようにフレームＦ１のチャネルＣＨ１において親局１０から子局２０−１〜２０−８へ宛先情報、それぞれの子局が収集すべき情報の種類情報及びタイムスロット情報が一斉に送られる。この場合、子局２０−１〜２０−４については、チャネルＣＨ２の異なるタイムスロットが指定され、子局２０−５〜２０−８については、チャネルＣＨ３の異なるタイムスロットが指定されたとすると、フレームＦ１におけるチャネルＣＨ２の異なるタイムスロットに子局２０−１〜２０−４からの情報がセットされて親局１０へ送られ、チャネルＣＨ３の異なるタイムスロットに子局２０−５〜２０−８からの情報がセットされて親局１０へ送られる。
【００２３】
以下、子局２０−９、・・・、２０−ｎに対しても同様に処理がなされ、一度の呼び出しにより複数の子局から情報収集することができ、時間の短縮と伝送の効率化を図ることができる。フレームＦ２においては、子局２０−１〜２０−４に対してのみ一斉呼び出しが行われ、子局２０−５〜２０−８に対して情報収集要求が送られていないため、子局２０−１〜２０−４からの情報が親局１０へ送られ、子局２０−５〜２０−８からの情報の返送がなされない例を示している。なお、図６の例では、１チャネルに４子局の情報を多重してセットするものを示したが、特に４子局に限定されるものではなく、３子局以下或いは５子局以上の情報を多重してセットするようにしても良い。
【図面の簡単な説明】
【００２４】
【図１】本発明に係るテレメータシステムの一実施例を示す構成図。
【図２】本発明に係るテレメータシステムの一実施例において採用した無線回線におけるフレーム構成を示す図。
【図３】本発明に係るテレメータシステムの一実施例における親局の情報要求に係る動作を説明するためのフローチャート。
【図４】本発明に係るテレメータシステムの一実施例における子局の情報返送に係る動作を説明するためのフローチャート。
【図５】本発明に係るテレメータシステムの一実施例における親局の情報受け取り及び解析に係る動作を説明するためのフローチャート。
【図６】本発明に係るテレメータシステムの一実施例における親局と子局間の通信手順を示す図。
【図７】従来例に係るテレメータシステムにおける親局と子局間の通信手順を示す図。
【符号の説明】
【００２５】
１０  親局
１１  管理装置
１２  無線機
１３  表示器
１４  操作部
１５  情報要求部
１６  情報収集解析部
２０−１〜２０−ｎ  子局
２１  無線機
２２−１〜２２−ｍ  センサ
２３  制御部
２４  受信処理部
２５  送信処理部
２６  データ収集部
【図１】
2007235224.tif 000003
【図２】
2007235224.tif 000004
【図３】
2007235224.tif 000005
【図４】
2007235224.tif 000006
【図５】
2007235224.tif 000007
【図６】
2007235224.tif 000008
【図７】
2007235224.tif 000009